(57)【要約】【課題】  遊技者が予め景品を観察可能にすることにより、ゲームの興趣を高めたゲーム装置を提供する。【解決手段】  ゲーム装置１０には、遊技盤を構成するエンドレスベルト１３が設けられている。このエンドレスベルト１３の手前には、スチルボール１８をエンドレスベルト１３の奥側に向かって発射させるボール発射機２１が設けられている。さらに、エンドレスベルト１３の奥には、円筒状の透明なプラスチックで形成され、景品が入った球状の透明なカプセル３０を収納する収納容器３１，３２，３３と、これらの各々の下方に配置された搬送装置３４，３５，３６が設けられている。この搬送装置３４，３５，３６の下面には、ターゲット３７，３８，３９が設けられており、ボール発射器２１から発射されたスチルボール１８が当たった時に、カプセル３０をエンドレスベルト１３上に搬送する。【選択図】        図１
2005058604.tif 000002
【特許請求の範囲】
【請求項１】
遊技盤の奥側に配置され、垂直方向または横方向に移動するターゲットと、遊技盤の手前側に配置され、遊技者によって発射操作されて遊技盤の奥側に向かって、ボールまたはコインを発射させる発射装置と、遊技者が予め景品を観察できるように透明部材で形成され、景品を収納する収納容器と、前記発射装置から発射されたボールまたはコインが前記ターゲットに命中した時に前記収納容器に収納された前記景品を遊技盤側に搬出する搬出装置とを設けたことを特徴とするゲーム装置。
【請求項２】
前記遊技盤は、手前側よりも奥側が高くなるように傾斜させて設けられていることを特徴とする請求項１記載のゲーム装置。
【請求項３】
前記遊技盤は、奥側から手前側に向かって循環移動するエンドレスベルトで構成されていることを特徴とする請求項１または２記載のゲーム装置。
【請求項４】
前記景品は、球状の透明部材で形成されたカプセルに入れられて、収納容器に収納されていることを特徴とする請求項１ないし３のいずれかに記載のゲーム装置。
【請求項５】
前記搬出装置は、装置本体と、この装置本体の垂直方向または横方向の移動を案内するガイド部材と、上部に開口が形成され、前記景品を保持し、前記装置本体に回転自在に軸支された回転部と、前記景品を保持する保持位置と前記開口を下方に向けて前記景品を前記遊技盤側に落下させる搬出位置との間で、前記回転部を垂直方向に回転させる回転移動手段とを備えていることを特徴とする請求項１ないし４のいずれかに記載のゲーム装置。
【請求項６】
前記ターゲットは、前記装置本体に一体に設けられ、前記装置本体と共に垂直方向または横方向に移動することを特徴とする請求項５記載のゲーム装置。
【発明の詳細な説明】
【技術分野】
【０００１】
本発明は、メダルやボール等をゲーム媒体として用い、ゲームに成功したときに遊技者に対して景品が与えられるゲーム装置に関する。
【背景技術】
【０００２】
エンドレスベルトを奥側から手前側に向かって循環移動させ、エンドレスベルトの上流に幅方向に移動するターゲット、下流にメダルを発射するメダル発射器を設けたゲーム装置が知られている（例えば、特許文献１）。このようなゲーム装置では、メダル発射器を回動操作してターゲットに狙いをつけて、反射ボタンを押圧操作してメダルを発射する。発射されたメダルは、エンドレスベルト上を転動しながらターゲットに向かって進行する。ターゲットに命中するとポイントが得られ、スコア表示器にポイントが加算され、所定のポイントに達したときに、遊技者に対して景品が与えられる。
【０００３】
【特許文献１】特開平１１−０７６５０３号公報
【発明の開示】
【発明が解決しようとする課題】
【０００４】
しかし、前述の特許文献１に記載のゲーム装置において、遊技者はゲームに成功したときに与えられる景品を予め目視することが不可能であり、景品が搬送される様子を観察することもできないため、ゲームの興趣を高めることが難しかった。
【０００５】
本発明は、予め遊技者に対して景品を見せることにより、ゲームの興趣を高めたゲーム装置を提供することを目的とする。
【課題を解決するための手段】
【０００６】
上記課題を解決するために、本発明のゲーム装置は、遊技盤の奥側に配置され、垂直方向または横方向に移動するターゲットと、遊技盤の手前側に配置され、遊技者によって発射操作されて遊技盤の奥側に向かって、ボールまたはコインを発射させる発射装置と、遊技者が予め景品を観察できるように透明部材で形成され、景品を収納する収納容器と、発射装置から発射されたボールまたはコインがターゲットに命中した時に収納容器に収納された景品を遊技盤側に搬出する搬出装置とを設けたことを特徴とするものである。
【０００７】
また、前述の遊技盤は、手前側よりも奥側が高くなるように傾斜させて設けられていることを特徴とするものである。
【０００８】
さらに、前述の遊技盤は、奥側から手前側に向かって循環移動するエンドレスベルトで構成されていることを特徴とするものである。
【０００９】
前述の景品は、球状の透明部材で形成されたカプセルに入れられて、収納容器に収納されていることを特徴とするものである。
【００１０】
また、前述の搬出装置は、装置本体と、この装置本体の垂直方向または横方向の移動を案内するガイド部材と、上部に開口が形成され、前述の景品を保持し、装置本体に回転自在に軸支された回転部と、景品を保持する保持位置と開口を下方に向けて景品を遊技盤側に落下させる搬出位置との間で、回転部を垂直方向に回転させる回転移動手段とを備えていることを特徴とするものである。
【００１１】
さらに、前述のターゲットは前述の装置本体に一体に設けられ、この装置本体と共に垂直方向または横（左右）方向に移動することを特徴とするものである。
【発明の効果】
【００１２】
本発明のゲーム装置によれば、遊技者が景品を予め観察できるようにして、遊技者がゲームに成功したときに景品が搬送される様子を観察できるようにしたので、ゲームの興趣を向上させることができる。
【発明を実施するための最良の形態】
【００１３】
本発明のゲーム装置について、図面を参照して説明を行う。図１は、ゲーム媒体として、スチルボールを使用するゲーム装置の外観斜視図である。本実施形態においては、スチルボールを用いる場合について説明を行うが、これに限るものではなく、例えば、ゲーム媒体としてメダルを使用するようにしても良い。
【００１４】
このゲーム装置１０は、各種装置等が筐体１１に組み込まれることにより構成されている。この筐体１１の上面の手前側には、操作部１２が設けられている。また、この操作部１２の後方には、筐体１１の内部に設けられ、遊技盤を構成するエンドレスベルト１３の上面が観察できるように、エンドレスベルト１３を覆うように透明なカバープレート１４が設けられている。また、カバープレート１４の後方には、景品を収納する景品収納部１５が、上方に向かって突出するように形成されている。また、筐体１１の前面には、不良コインあるいは過分に投入されたコインの返却口１６、ゲームに成功した時に景品が払い出される受け口１７が設けられている。
【００１５】
前述の操作部１２は、スチルボール１８を発射するボール発射器２１と、コイン投入口２２と、発射ボタン２３とで構成されている。コイン投入口２２は、ゲームを開始する時に、遊技者によって、コイン、例えば１００円玉が投入されてゲームがスタートする。ボール発射器２１は、本体２４と、この本体２４から奥側（景品収納部１５側）に突出するように形成された円筒状の銃身２５と、本体２４の手前に形成されたハンドル２６とで構成されている。
【００１６】
ボール発射器２１は、図中矢印で示すように、左右方向に１５°の角度範囲内で回転可能にされている。遊技者は、ターゲットに照準を定める時に、ハンドル２６を左右に移動させて銃身２５の向きを変え、その後、発射ボタン２３が押圧操作されると、銃身２５からスチルボール１８が、エンドレスベルト１３の上面に向けて発射される。この時、スチルボール１８が奥側（景品収納部１５側）に向かって転がる。また、操作部１２の奥側には、開口２７が設けられており、エンドレスベルト１３の下方（手前側）に転がって来たスチルボール１８が開口２７に入って回収される。
【００１７】
また、景品収納部１５には、その前面を覆うように透明のカバー１９が設けられており、その内部を観察できるようになっている。カバー１９の上方には、ゲームの経過時間やスチルボール１８の残数等を表示する表示パネル２８が設けられている。カバー１９の奥には、円筒状の透明なプラスチックで形成された３つの収納容器３１，３２，３３が並列に設けられている。なお、この収納容器３１，３２，３３は、円筒形状に限定されるものではなく、例えば、中空の四角柱でも良い。
【００１８】
この収納容器３１，３２，３３は、球状の透明プラスチックで形成され、景品が入れられたカプセル３０を収納する。なお、カプセル３０は、透明であれば球状でなくても良い。また、カプセル３０を使用せずに、収納容器３１，３２，３３が、景品を直接収納するようにしても良い。
【００１９】
さらに、収納容器３１，３２，３３の各々の下方には、収納容器３１，３２，３３に収納されたカプセル３０を搬出する搬出装置３４，３５，３６が設けられており、その下部には、ターゲット３７，３８，３９が設けられている。このターゲット３７，３８，３９は、スチルボール１８を当てる標的であり、このターゲット３７，３８，３９にスチルボール１８が当たった時に、搬出装置３４，３５，３６が、収納容器３１，３２，３３に入ったカプセル３０をエンドレスベルト１３の上面に搬出する。このカプセル３０は、スチルボール１８と同様に開口２７に入って、受取り口１７を介して遊技者に与えられる。
【００２０】
ターゲット３７，３８，３９は、図示しないが、フォトインタラプタが組み付けられている。フォトインタラプタは、スチルボール１８を光電検出することにより、ターゲット３７，３８，３９に当たったことを検出する。なお、ターゲット３７，３８，３９にゲートを設け、このゲートの幅を調節することにより、命中の難易度を調節可能にしても良い。
【００２１】
エンドレスベルト１３は、図中矢印で示すように、後述するベルト駆動モータによってその上面が奥側から手前側に向かって循環移動する。エンドレスベルト１３の表面には、スチルボール１８の進行を妨げる突起４０が複数形成されている。このため、ボール発射器２１から発射されたスチルボール１８が突起４０に当たり、スチルボール１８の進行方向が変化するのでゲーム性が向上する。また、カバープレート１４の内面に、遊技盤側（エンドレスベルト１３側）に突出する障害物を形成しても良い。これにより、スチルボール１８の進路にさらなる変化を加えることが可能であり、ゲーム性をさらに向上させることが可能である。
【００２２】
図２は、本発明のゲーム装置１０の概略断面図である。エンドレスベルト１３は、ベルト駆動モータ４１によってその上面が、奥側から手前側に向かって循環移動するように駆動される。エンドレスベルト１３は、その表面の摩擦を大きくするために、例えば、ゴム引きのものが用いられる。なお、このエンドレスベルト１３の上面は、手前側（操作部１２側）よりも奥側（景品収納部１５側）の方が高くなるように、傾斜させて設けられているが、これに限るものではなく、エンドレスベルト１３を水平に設けても良いし、傾斜角度を可変にしても良い。また、エンドレスベルト１３を設けずに、遊技盤を固定された平板で構成しても良い。この場合は、スチルボール１８及びカプセル３０を回収できるように、手前側（操作部側）よりも奥側の方が高くなるように、傾斜させて平板を設ける。
【００２３】
また、このエンドレスベルト１３は、カバープレート１４の下に位置する際に遊技盤として機能し、この位置では、支持プレート４２によって下側から支持されており、エンドレスベルト１３の表面に凹凸や湾曲が生じないようにされている。
【００２４】
開口２７の下方には、スチルボール１８のみが通過可能で、カプセル３０が通過できない大きさの孔が形成された振り分け板４３が設けられている。この振り分け板４３により、カプセル３０が受け口１７、スチルボール１８がスチルボール搬送装置４４に振り分けられる。スチルボール１８は、スチルボール搬送装置４４により再びボール発射器２１に搬送される。また、搬出装置３４，３５，３６の下方には、マイクロコンピュータを含む制御回路ユニット４５が設けられており、この制御回路ユニット４５により、ゲーム装置１０の各部が管理、制御されている。
【００２５】
次に、収納容器３１，３２，３３、及び搬出装置３４，３５，３６の構成について説明を行う。図３は、収納容器３１及び搬出装置３４の外観斜視図であり、図４は、収納容器３１の構成を示す斜視図である。収納容器３１は、透明のプラスチックで形成された円筒状のケースである。収納容器３１の前面を覆うようにＵ字金具５１を当接させて、六角ボルト５２を使用して収納容器３１が筐体１１に固定される。
【００２６】
この収納容器３１には、景品５０が入ったカプセル３０が入れられる。本実施形態においては、収納容器３１内に４個のカプセル３０が収納されるが、これに限るものではなく、例えば、カプセル３０を６個収納するようにしても良く、適宜設計変更されるものである。この収納容器３１の下方には、収納容器３１からカプセル３０が落下するのを防止するストッパー５４が設けられているので、カプセル３０が収納容器３１から落下することが防止されている。このストッパー５４は、２つの係止部材５５と、この係止部材５５を左右に移動させる電動アクチュエータ５６とで構成されている。電動アクチュエータ５６は、筐体１１内に組み込まれ、２つの係止部材５５が収納容器３１の下方に配置される。この係止部材５５は、カプセル３０を下方に落下させる開放位置と、カプセル３０を係止してカプセル３０の落下を防止する係止位置との間で移動される。
【００２７】
なお、収納容器３１についてのみ説明を行ったが、３個の収納容器３１，３２，３３は同様の構成であり、収納容器３２，３３のそれぞれにストッパー５４が設けられている。また、収納容器３１，３２，３３からカプセル３０が落下された時に、収納容器３１，３２，３３にカプセル３０が補充されるようにされている。
【００２８】
図５は、搬出装置３４の構成を示す分解斜視図である。搬出装置３４は、装置本体６０と、この装置本体６０に回転自在に軸支される回転部６１と、装置本体６０の垂直（上下）方向の移動をガイドするガイド部材６２とで構成されている。ガイド部材６２は、４本の六角ボルト６３により筐体１１に固定されている。装置本体６０は、２枚の側板６４，６５と底板６６とで構成されており、略コの字状に形成されている。この装置本体６０の内面側には、円弧面で形成されたガイドプレート６７が設けられており、カプセル３０の搬出路を構成している。また、底板６６の下面には、前述したようにターゲット３７が設けられている。さらに、装置本体６０の上端には、回転部６１を回転自在に保持する２つの保持部６８，６９が設けられている。
【００２９】
２つの保持部６８，６９には、各々に回動軸６８ａ，６９ａが形成されており、回転部６１の２つの嵌合孔６１ａ，６１ｂと嵌合して、回転部６１が回転自在に軸支される。この回転部６１は、略半円筒の形状に形成され、上部に開口を有しており、カプセル３０を保持する。また、回転部６１の一端には、その外周にギア７０が形成されている。保持部６８の近傍には、回転移動手段である駆動モータ７１が設けられており、ギア７０が駆動モータ７１のピニオンギア７１ａと噛合する。このピニオンギア７１ａが駆動モータ７１により駆動されると、回転部６１が図６（Ａ）に示す位置と図６（Ｂ）に示す位置との間で回転する。回転部６１が、図６（Ｂ）に示す位置に回転した時に、回転部６１に保持されたカプセル３０が下方に落下して、ガイドプレート６７に案内されてエンドレスベルト１３上にカプセル３０が搬出される。
【００３０】
また、側板６５には、ギア７４が形成されている。このギア７４は、ガイド部材６２の内側（装置本体６０側）に設けられた駆動モータ７５のピニオンギア７５ａと噛合する。さらに、側板６５には、ガイド部材６２の内側に設けられたガイドレール７６と係合する係合部７７が設けられている。駆動モータ７５のピニオンギア７５ａが回転することにより、装置本体６０はガイドレール７６に案内されて図６（Ａ）に示す位置と図６（Ｂ）に示す位置との間で上下に移動する。
【００３１】
さらに、ガイド部材６２の上方と下方には、装置本体６１の位置を検出するフォトインタラプタ７８，７９が設けられており、側板６５に形成されたギア７４の両端に設けられた遮蔽突起８０，８１により、フォトインタラプタ７８，７９の光が遮られたときに位置検出を行う。つまり、遮蔽突起８０がフォトインタラプタ７８と係合した時に、図６（Ａ）に示す位置が検出され、遮蔽突起８１がフォトインタラプタ７９と係合した時に、図６（Ｂ）に示す位置が検出される。なお、搬出装置３４の構成について説明を行ったが、搬出装置３５，３６も全く同様の構成である。
【００３２】
次に、上記構成のゲーム装置１０の作用について図７のフローチャートに従って説明を行う。コイン投入口２２の奥に設けられたコインセンサ（図示せず）によって適正なコインの投入が検知されると、ゲームタイマーが計時を開始する。また、これと同時に、ベルト駆動モータ４１、駆動モータ７５が一斉に駆動を開始する。これにより、エンドレスベルト１３は、奥側から手前側に循環移動を開始し、３つの搬出装置３４，３５，３６が、図６（Ａ）に示す位置と図６（Ｂ）に示す位置との間で上下方向に移動を開始する。３つの搬出装置３４，３５，３６は、各々が同じ位置にならないように、例えば、各々が１／３周期ずらして上下移動を行う。
【００３３】
このようにゲームが開始されると、ゲームタイマーで設定された一定のゲーム時間（例えば１分）内で、１ゲーム当たりの規定のスチルボール数（例えば１０個）が消費されていないことを条件に、遊技者は任意のタイミングでターゲット３７，３８，３９を狙って、スチルボール１８の発射操作を行うことができる。このゲームの目的は、一定のゲーム時間内で、しかも一定のスチルボール数の範囲内でスチルボール１８をターゲット３７，３８，３９に命中させることにあり、ターゲット３７，３８，３９のいずれかに命中したときに景品５０が入ったカプセル３０の払出しが行われる。
【００３４】
遊技者は、ボール発射器２１のハンドル２６を左右に移動させることにより、銃身２５の向きをターゲット３７，３８，３９の動きに狙いをつけて発射ボタン２３を押圧操作する。この発射ボタン２３の押圧操作により、銃身２５からスチルボール１８が発射され、エンドレスベルト１３上をスチルボール１８が転がる。このように、スチルボール１８が発射された時に、スチルボール１８の発射個数が加算される。
【００３５】
スチルボール１８は、エンドレスベルト１３上を転がりながら上流に向かって進行するが、エンドレスベルト１３は手前側に向かって移動しているため、スチルボール１８の見かけ上の進行速度は遅くなる。また、エンドレスベルト１３の上面には、突起４０が設けられているので、障害物となりスチルボールの進行方向が変化する。
【００３６】
そして、狙いがうまく合っていたときには、スチルボール１８はターゲット３７，３８，３９のいずれかに命中する。ターゲット３７，３８，３９のいずれかに当たったことが検知されると、その搬出装置、例えば搬出装置３４の装置本体６０が上下移動を停止し、回転部６１が図６（Ａ）に示す位置から図６（Ｂ）に示す位置に回転して、カプセル３０が、回転部６１から落下してガイドプレート６７に案内され、エンドレスベルト１３上に搬出される。カプセル３０は、エンドレスベルト１３上を転がって、下流側に形成された開口２７に入って、受け口１７に搬出される。これにより、遊技者へ景品５０の支払いが行われる。
【００３７】
その後、搬出装置３４は、図６（Ａ）に示す位置に移動する。ストッパー５４は、係止部材５５を開放位置に移動されてカプセル３０を下方に落下させて、回転部６１に再びカプセル３０が収納される。ストッパー５４は、係止部材５５を係止位置に移動させて、回転部６１に収納されたカプセル３０の上にあるカプセル３０を再び係止する。この動作が完了した後に、搬出装置３４は、上下方向の移動を再開する。このような、カプセル３０の搬出中には、その他の２つの搬出装置３５，３６は上下方向の移動を行っており、遊技者はゲームを続行可能である。
【００３８】
また、ゲームが行われている間、ゲーム時間の経過、及びスチルボール１８の残数が表示パネル２８に表示される。そして、ゲーム時間が経過するか、あるいはスチルボール１８の発射個数が、１ゲーム当たりの規定個数に達するとゲームオーバーとなる。
【００３９】
以上、図示した実施形態に基づいて本発明のゲーム装置について説明を行ったが、本発明は必ずしもこれらの実施形態のみに限定されるものではない。例えば、本実施形態において、搬出装置３４，３５，３６は、景品５０が入ったカプセル３０をエンドレスベルト１３上に搬出するように説明を行ったが、これに限るものではなく、カバープレート１４上に搬出するようにしても良い。
【００４０】
このように、カプセル３０をカバープレート上に搬出する場合のゲーム装置９０の構成を図８に示す。ゲーム装置９０では、景品収納部１５の前面を覆う透明のカバー９１が設けられている。また、このカバー９１と、エンドレスベルト１３を覆うカバープレート９２との間には、カプセル３０が通過可能な大きさを有する開口９３が設けられている。さらに、このカバープレート９２は、カバープレート１４よりも長く、景品収納部１５側に延長されており、搬出装置３４，３５，３６から搬出されたカプセル３０をカバープレート９２上に案内する。なお、図８では、ゲーム装置１０と同一の部品及び装置に同一の符号を付して説明を省略する。
【００４１】
上記構成のゲーム装置９０において、例えば、スチルボール１８がターゲット３８に当たると、搬出装置３５の装置本体６０が上方に移動して、ガイドプレート６７の下端が、カバープレート９２の先端と略同じ高さとなる位置まで移動する。その後、駆動モータ７１により回転部６１が回転して、回転部６１に保持されたカプセル３０が下方に落下する。回転部６１から落下したカプセル３０は、ガイドプレート６７にガイドされてカバープレート９２の先端に転がり、開口９３を通過して、さらにカバープレート９２上を操作部１２側に向かって転がる。これにより、景品５０が入ったカプセル３０は受け口１７を介さずに遊技者に与えられる。このため、ゲーム装置９０では、景品が払い出される受け口１７、及び振り分け板４３は必要ないので設けられていない。
【００４２】
また、本実施形態においては、搬出装置３４，３５，３６の装置本体６０が垂直（上下）方向にのみ移動し、ターゲット３７，３８，３９を上下に移動させるように説明したが、これに限るものではなく、装置本体６０を横（左右）方向にも移動させ、ターゲット３７，３８，３９を横方向に移動させるようにしても良い。この場合、ゲーム中に装置本体６０が常に左右に移動し、カプセル３０を搬出する時と、回転部６１が収納容器３１，３２，３３からカプセル３０を受け取る時に垂直方向に移動する。さらに、ターゲットが垂直方向にのみ移動する搬出装置と、ターゲットが横方向にも移動する搬出装置とを混在させて設けても良い。これらの場合、ゲーム性をより向上させることができる。
【００４３】
また、本実施形態においては、ターゲットを搬出装置に一体に設けたが、ターゲットを搬出装置から独立させて設け、ターゲットを垂直方向または横（左右）方向に移動させても良い。この場合は、景品の搬出時のみ搬出装置を移動させ、ゲーム時間内で常にターゲットを移動させる。
【００４４】
さらに、搬出装置を移動させるだけではなく、収納容器も移動させても良い。この場合は、遊技者に対するアピール度をさらに向上させることができる。
【図面の簡単な説明】
【００４５】
【図１】本発明のゲーム装置の外観斜視図である。
【図２】本発明のゲーム装置の概略断面図である。
【図３】搬出装置及び収納容器の外観斜視図である。
【図４】収納容器の構成を示す分解斜視図である。
【図５】搬出装置の構成を示す分解斜視図である。
【図６】搬出装置の動作を示す概略側面図である。
【図７】ゲーム装置の作用を説明するフローチャートである。
【図８】ゲーム装置の変形例を示す概略断面図である。
【符号の説明】
【００４６】
１０，９０  ゲーム装置
１３  エンドレスベルト
１５  景品収納部
１７  受け口
１８  スチルボール
２１  ボール発射器
２３  発射ボタン
３０  カプセル
３１，３２，３３  収納容器
３４，３５，３６  搬出装置
３７，３８，３９  ターゲット
４０  突起
５０  景品
６０  装置本体
６１  回転部
６２  ガイド部材
７１，７５  駆動モータ
【図１】
2005058604.tif 000003
【図２】
2005058604.tif 000004
【図３】
2005058604.tif 000005
【図４】
2005058604.tif 000006
【図５】
2005058604.tif 000007
【図６】
2005058604.tif 000008
【図７】
2005058604.tif 000009
【図８】
2005058604.tif 000010